(57)【特許請求の範囲】
【請求項１】
着用者の腰回りに当接される帯状に形成された腰帯部（１）が備えられている釣り用ズボンであって、
前記腰帯部（１）には、通気性のあるクッション材（２）が着用者の背中側に配されるように備えられ、しかも、該クッション材（２）の外側に防水性を有する表地（４）が備えられ、
前記表地（４）と前記通気性のあるクッション材（２）との間に帯状に形成された平板状の平ゴム（５）が備えられ、かつ、前記表地（４）と前記平ゴム（５）との間に不織布でなる芯材（６）が備えられていることを特徴とする釣り用ズボン。
【請求項２】
前記通気性のあるクッション材（２）がダブルラッセル編の立体メッシュである請求項１記載の釣り用ズボン。
【請求項３】
前記通気性のあるクッション材（２）の上側が、着用者の背中の腰回り方向中央部に当接する部位で上方に突出している請求項１又は２に記載の釣り用ズボン。
【請求項４】
前記腰帯部（１）には、着用者の腰回りに当接し吸水性を有する裏地（３）が前記通気性のあるクッション材（２）の内側に備えられている請求項１〜３のいずれか１項に記載の釣り用ズボン。
【発明の詳細な説明】
【技術分野】
【０００１】
本発明は、釣り用ズボンに関する。
【背景技術】
【０００２】
釣り用ズボンは、一般的に、着用者が足下で海水や河川水などを浴びやすい場所で用いられる。そのため、着用者が濡れてしまうのを防ぐべく、釣り用ズボンは、通常、最も外側に配される表地が防水性を有するものとなっている。従って、釣り用ズボンは、その防水性ゆえ着用者の汗が表地を通して大気中へ放出されにくいものとなり、一般的に通気性の点で満足できるものではない。また、釣り用ズボンは、日陰になりにくい場所で着用されるため着用者の汗が生じやすく、その通気性の悪さ故に着用者にムレ感などの不快感を与えやすい。
【０００３】
従来、ムレ感などの不快感を与えにくくしたズボンとしては、例えば、吸水性生地でなるライナーが内側に配されたズボンが特許文献１に提案されている。しかし、この種のズボンは、吸水性の点で優れるものの、吸収された汗が大気中へ放出されにくく、通気性の点で未だ満足できるものではない。
【０００４】
それゆえ、釣り用ズボンとしては、通常のズボン以上に吸水性および通気性に優れ、着用者にムレ感などの不快感を与えにくいものが要望されている。即ち、釣りをする際、上述のように着用者が汗をかきやすく、しかも、釣り用ズボンの防水性ゆえ汗が大気中に放出されにくいため、釣り用ズボンとしては、吸水性および通気性により優れたものが要望されている。
【０００５】
【特許文献１】特開平０８−０１３２０６号公報
【発明の開示】
【発明が解決しようとする課題】
【０００６】
また、釣りをする際には、岩場で腰部背面を岩に当てながら長時間座ることもあるため、釣り用ズボンとしては、着用者の腰裏部分を保護できるように適度な厚みとクッション性とを有するものが要望されている。しかし、厚みとクッション性とを有する釣り用ズボンは、通気性がより悪くなるという問題がある。
【０００７】
本発明は、上記の問題点、要望点等に鑑み、吸水性および通気性に優れ、しかも、着用者の腰裏部分を保護し得る釣り用ズボンを提供することを課題とする。
【課題を解決するための手段】
【０００８】
上記課題を解決すべく、本発明に係る釣り用ズボンは、着用者の腰回りに当接される帯状に形成された腰帯部（１）が備えられている釣り用ズボンであって、
前記腰帯部（１）には、通気性のあるクッション材（２）が着用者の背中側に配されるように備えられ、しかも、該クッション材（２）の外側に防水性を有する表地（４）が備えられ、
前記表地（４）と前記通気性のあるクッション材（２）との間に帯状に形成された平板状の平ゴム（５）が備えられ、かつ、前記表地（４）と前記平ゴム（５）との間に不織布でなる芯材（６）が備えられていることを特徴とするものである。
【０００９】
上記構成からなる釣り用ズボンによれば、通気性のあるクッション材により、着用者の腰部背面側に当接する腰帯部は、吸収した汗を大気中へ放出させやすいものとなり、着用者の腰裏部分に適度な弾力を付与するものとなる。従って、前記腰帯部に備えられた通気性のあるクッション材が、着用者の背中側に配されることにより、本発明に係る釣り用ズボンは、吸収した汗を大気中に放出させやすく、着用者の腰裏部分に適度な弾力を付与するものとなる。
【００１０】
本発明に係る釣り用ズボンは、前記通気性のあるクッション材がダブルラッセル編の立体メッシュであることが好ましい。前記通気性のあるクッション材がダブルラッセル編の立体メッシュであることにより、汗を吸収する吸水性に優れると同時に、汗を大気中へ放出させやすく、より通気性に優れたものとなる。詳しくは、ダブルラッセル編の立体メッシュが、２次元的な網目構造だけではなく、空間のある３次元的な網目構造を有するため、内側から外側への方向で気体状となった汗が移動するだけではなく、上下方向、腰回り方向にも吸収された汗が気体状となって立体メッシュ内で３次元的に容易に移動できる。しかも、ダブルラッセル編の立体メッシュにより、着用者の腰部背面側に当接する腰帯部は、適度な厚みおよび適度なクッション性のあるものとなる。従って、前記腰帯部に備えられたダブルラッセル編の立体メッシュが、着用者の背中側に配されることにより、その適度な厚みおよび適度なクッション性によって、着用者の腰裏部分をより保護し得るものになるという利点がある。
【００１１】
本発明に係る釣り用ズボンは、前記通気性のあるクッション材の上側が、着用者の背中の腰回り方向中央部に当接する部位で上方に突出していることが好ましい。前記通気性のあるクッション材の上側が、着用者の背中の腰回り方向中央部に当接する部位で上方に突出していることにより、着用者の背中の汗を吸水し得る面積がより大きくなるという利点がある。しかも、立位の着用者の背骨に沿って上下方向に生じる、背中表面の凹部にも前記腰帯部が当接しやすくなり、前記凹部に沿って流れ落ちる汗を吸収しやすくなるという利点がある。
【００１２】
本発明に係る釣り用ズボンの前記腰帯部には、着用者の腰回りに当接し吸水性を有する裏地が前記通気性のあるクッション材の内側に備えられ、かつ、防水性を有する表地が前記通気性のあるクッション材の外側に備えられていることが好ましい。
着用者の腰回りに当接し吸水性を有する裏地が前記通気性のあるクッション材の内側に備えられていることにより、着用者から生じる汗がより速やかに前記裏地によって吸収され、かつ、該裏地によって吸収された汗が前記通気性のあるクッション材のなかで３次元的に拡散されやすくなり、汗を吸収した箇所以外の部位からも汗が気体状となって大気中に放出されやすくなるため、通気性がさらに高まり、よりムレにくいものになるという利点がある。また、防水性を有する表地が前記通気性のあるクッション材の外側に備えられていることにより、前記通気性のあるクッション材が外部からの力で損傷を受けることが前記表地によって防がれ、前記通気性のあるクッション材による通気性、クッション性がより長く維持されるという利点がある。
【００１３】
また、本発明に係る釣り用ズボンは、前記表地と前記通気性のあるクッション材との間に帯状に形成された平板状の平ゴムが備えられ、かつ、前記表地と前記平ゴムとの間に不織布でなる芯材が備えられている。前記表地と前記通気性のあるクッション材との間に帯状に形成された平板状の平ゴムが備えられていることにより、ベルトを着用しなくとも釣り用ズボンの前記腰帯部を確実に腰位置に当接させて保持することができ、前記腰帯部が腰位置に当接されることにより、流れ落ちる背中の汗を腰位置でより確実に吸収することができる。また、前記表地と前記平ゴムとの間に不織布でなる芯材が備えられていることにより、前記腰帯部の内部で繰り返し摺動する前記平ゴムによる摩擦から前記表地を保護することができる。
【発明の効果】
【００１４】
本発明に係る釣り用ズボンによれば、着用者の腰部背面側に配された通気性のあるクッション材が、吸収した汗を拡散させて大気中に放出させ得る。しかも、通気性のあるクッション材が適度な弾力性を有する。従って、本発明に係る釣り用ズボンは、吸水性および通気性に優れ、しかも、着用者の腰裏部分を保護し得るという効果を奏する。
【発明を実施するための最良の形態】
【００１５】
以下、本発明に係る釣り用ズボンの実施形態について、図面を参照しつつ詳しく説明する。図１は、本実施形態の釣り用ズボンの開閉口１０（後述）を開け、正面から見た正面図であり、図２は、図１のＡにおける断面を模式的に表した断面斜視図である。
【００１６】
本実施形態の釣り用ズボンは、図１に示すように、股上丈８と、該股上丈８と連続した所定長さの股下丈９とから構成される。前記股上丈８は、上端部に沿うように腰帯部１が備えられ、前記股上丈８の正面部には股の分かれ目から前記腰帯部１にかけて開閉口１０が開閉自在に形成されている。前記開閉口１０の両側開口縁部には、該開閉口１０を開閉するスライドファスナー１１が縫着されている。また、前記開閉口１０の両側開口縁部であって、かつ前記腰帯部１の縁端部には、該開閉口１０を開閉するための一対のドット釦１２および一対のフック（図示せず）が縫着されている。
【００１７】
さらに、本実施形態の釣り用ズボンには、一対の第１ポケット１３が前記股上丈８の上下方向中央部の正面側に略左右対称に備えられている。また、一対の第２ポケット１４が前記股上丈８の下方正面側に略左右対称に備えられ、前記第２ポケット１４の開口部の上方で縫着されて下方に向けて所定長さ延設されたポケットカバー１８が略左右対称に備えられている。さらには、一対の第３ポケット（図示せず）が前記股上丈８の後面側に略左右対称に備えられている。
【００１８】
前記腰帯部１の外側には、該腰帯部１を着用者の腰回りの所望の位置で保持するためのベルト通し１５が備えられ、ベルトが挿通され得るようになっている。
【００１９】
より詳しくは、本実施形態の釣り用ズボンは、図１に示すように、着用者の腰回りに当接される帯状に形成された腰帯部１が備えられている釣り用ズボンである。前記腰帯部１には、図１の斜線部に示す通り、通気性のあるクッション材としてダブルラッセル編の立体メッシュ２が着用者の背中側に配されるように備えられている。また、前記腰帯部１には、着用者の背中の腰回り方向中央部に当接する部位で前記立体メッシュ２の上側が上方に突出している突出部７が形成されている。
【００２０】
さらに、本実施形態の釣り用ズボンの前記腰帯部１には、図２に示すように、前記立体メッシュ２の内側に着用者の腰回りに当接し吸水性を有する裏地３が備えられ、前記立体メッシュ２の外側に防水性を有する表地４が備えられている。また、前記表地４と前記立体メッシュ２との間に帯状に形成された平板状の平ゴム５が備えられ、前記表地４と前記平ゴム５との間に不織布でなる芯材６が備えられている。具体的には、図２に示すように、前記平ゴム５が前記芯材６より内側に、前記芯材６が前記平ゴム５より外側に備えられている。
【００２１】
より具体的には、前記腰帯部１には、外側から順に、前記表地４、前記芯材６、前記平ゴム５、前記立体メッシュ２、前記裏地３が備えられている。前記表地４、前記芯材６、前記立体メッシュ２、および、前記裏地３には、着用者の背中の腰回り方向中央部に当接する部位で上方に突出している突出部７が形成されている。即ち、前記表地４、前記芯材６、前記立体メッシュ２、および、前記裏地３は、前記突出部７において略同型状となっている。
【００２２】
また、前記腰帯部１には、前記裏地３、前記立体メッシュ２、および、前記平ゴム５を一体化させるためのステッチ１７が２ヶ所に入っている。具体的には、図１に示すように、これらステッチ１７は、前記突出部７の最突出部分に対して略左右対称の所定部位にそれぞれ入り、前記裏地３、前記立体メッシュ２、および、前記平ゴム５がステッチ１７で一体化されている。このようにステッチ１７が入っていることにより、前記立体メッシュ２が前記腰帯部１と一体化され、そのため前記立体メッシュ２が着用者の腰裏、即ち腰部背面側の所定の位置に確実に配されるようになるという利点がある。しかも、釣り用ズボンの着脱等により前記平ゴム５が前記腰帯部１において繰り返し摺動しても、前記平ゴム５が左右のどちらか一方に偏ることなく前記腰帯部１の所定の位置に収まるという利点がある。
【００２３】
前記立体メッシュ２は、ダブルラッセル編みにより形成されている。ダブルラッセル編みにより形成された前記立体メッシュ２は、表裏二層の編地と、これら編地を間隔をあけて連結する連結糸とから構成される。具体的には、表編地と裏編地とが連結糸で連結され、各編地がそれぞれメッシュ状に形成されている。すなわち、二重編地の厚さ方向および当該方向に直交する方向に空隙が設けられている。したがって、この二重編地は、軽量でありながら通気性に優れている。前記立体メッシュ２を構成する糸状の素材は特に限定されるものではない。たとえば、ナイロン、ポリエステル、ポリアミド等の合成繊維や再生繊維のほか、ウール、木綿等の天然繊維が採用され得る。上記二層編地を連結する連結糸は、低密度（嵩が高い）と適度な反発力（弾性力）を備えながら、通気性を備えたものが好ましい。もっとも、前記立体メッシュ２を構成する材料は、特に限定されるものではない。ダブルラッセル編みにより形成された前記立体メッシュ２を模式的に表したものとしては、例えば、図３に示すようなものが挙げられる。
【００２４】
ダブルラッセル編みにより形成された前記立体メッシュ２は、吸水性があり汗を吸収し得る。同時に、汗を大気中へ放出させやすく、通気性に優れる。しかも、適度な厚みおよびクッション性のあるものとなる。
【００２５】
前記立体メッシュ２は、上述のように吸水性および通気性に優れ、この立体メッシュ２が着用者の腰部背中側に配されるように、前記腰帯部１に備えられている。そのため、該腰帯部１を備えた本実施形態の釣り用ズボンは、着用者の腰部背中側において吸水性および通気性に優れたものとなる。
【００２６】
前記立体メッシュ２は、２次元的な網目構造だけではなく、３次元的な網目構造を有する。従って、吸収されて気体状となった汗が内側から外側への方向だけではなく、前記立体メッシュ２内で上下方向、腰回り方向にも３次元的に容易に移動しやすい。このため、前記立体メッシュ２は、吸水性だけではなく、通気性を有する。
【００２７】
前記立体メッシュ２は、上述のように適度な厚みおよびクッション性があり、この立体メッシュ２が着用者の腰部背中側に配されるように、前記腰帯部１に備えられている。そのため、該腰帯部１を備えた本実施形態の釣り用ズボンは、着用者の腰部背中側、即ち腰裏部分を保護し得るものとなる。
【００２８】
また、ダブルラッセル編みにより形成された前記立体メッシュ２は、適度な厚みを有し、保形性を有する。保形性を有するこの立体メッシュ２が着用者の腰部背中側に配されるように、腰帯部１に備えられているため、着用者の胴回り長さより釣り用ズボンの胴回り長さが比較的長い場合であっても、背中側の腰帯部１にシャーリングが生じにくくなる。シャーリングが生じにくくなることにより、着用者の腰部背面がスッキリとした外観になるという利点がある。
【００２９】
前記立体メッシュ２の厚みとしては、特に限定されないが、通気性、クッション性、ズボンとしての扱いやすさの点で１〜１０ｍｍが好ましい。前記立体メッシュ２の厚みが１ｍｍ以上であることにより、前記立体メッシュ２の通気性がより高まり、より適度なクッション性を有することができるという利点がある。また、１０ｍｍ以下であることにより、適度に柔らかくなり、容易に折れ曲がりやすく脱衣後に収納しやすいなどの利点がある。
【００３０】
前記立体メッシュ２は、着用者の背中の腰回り方向中央部に当接する部位で上方に突出している突出部７が形成されていることが好ましい。該突出部７が形成されていることにより、着用者の背中の汗を吸水し得る面積がより大きくなるという利点がある。しかも、立位の着用者の背骨に沿って上下方向に生じる、背中表面の凹部にも前記腰帯部１が当接しやすくなり、前記凹部に沿って流れ落ちる汗を吸収しやすくなるという利点がある。
【００３１】
前記突出部７の形状、突出高さ、突出幅等は特に限定されないが、着用時の快適さの点で、突出形状が図１に示すようななだらかな山状であることが好ましく、突出している高さが１〜２ｃｍ程度であることが好ましく、突出している幅が２０ｃｍ程度であることが好ましい。
【００３２】
前記表地４は、防水性を有している。また、上述したように前記立体メッシュ２の外側に備えられている。なお、前記表地４は、釣り用ズボンの股上丈８および股下丈９の最も外側に備えられる生地と同じものである。
【００３３】
本実施形態の前記表地４は、防水処理剤により防水加工されたものである。防水性を有する前記表地４としては、特に限定されないが、釣り用ズボンは海辺などの水を浴びやすい環境下で用いられることから、前記表地４は、着用者が水に濡れるのをより確実に防ぎ得るという点で、防水加工されているものであることが好ましい。さらには、前記表地４は、撥水加工されていてもよい。
【００３４】
前記表地４は、前記立体メッシュ２の外側に備えられていることが好ましい。前記表地４が前記立体メッシュ２の外側に備えられていることにより、前記立体メッシュ２が外部からの力で損傷を受けることが前記表地４によって防がれ、前記立体メッシュ２による吸水性、通気性がより長く維持されるという利点がある。
【００３５】
なお、前記表地４は、釣り用ズボンの股上丈８および股下丈９の最も外側に備えられる生地と必ずしも同じである必要はないものの、釣り用ズボンを統一感のある外観にできる点、釣り用ズボンの製造時の容易さなどの点で、本実施形態のように、前記表地４と釣り用ズボンの最も外側に備えられる生地とは、同じ生地であることが好ましい。
【００３６】
前記裏地３は、上述したように吸水性を有するものであり、吸水性のある吸水メッシュであることが好ましい。該吸収メッシュは、着用者から生じた汗を速やかに吸収できる。
【００３７】
前記裏地３は、前記立体メッシュ２の内側に備えられていることが好ましい。着用者の腰回りに当接し吸水性を有する吸水メッシュ生地でなる前記裏地３が、前記立体メッシュ２の内側に備えられていることにより、前記裏地３によって汗がより速やかに吸収され、かつ、該裏地３によって吸収された汗が外側で接している前記立体メッシュ２に速やかに移動できる。そのため、気体状となった汗が前記立体メッシュ２において３次元的に速やかに拡散されやすくなる。よって、汗を吸収した箇所以外の部位からも汗が気体状となって大気中に放出されやすくなるため、通気性がさらに高まり、よりムレにくいものになるという利点がある。
【００３８】
前記平ゴム５は、帯状に形成された平板状のものである。また、比較的弱い力で伸び得るもので、伸びた後に弾性収縮力により元の長さに戻り得るものである。
【００３９】
前記平ゴム５は、腰帯部１の所定部分において、着用者の腰回り方向に前記立体メッシュ２と前記芯材６との間に備えられている。本実施形態における前記平ゴム５は、長手方向の両端部がそれぞれ２つのボタンホールを有する布片１９に縫着されている。図１に示すように、前記平ゴム５は、前記腰帯部１の所定位置に付けられている左右それぞれ２つのボタン１６により両端が固定された状態で、前記立体メッシュ２と前記芯材６との間に備えられている。このように備えられて固定されていることにより、前記平ゴム５は、釣り用ズボンの胴囲が繰り返し伸縮されても前記腰帯部１の所定位置に収まり得る。なお、前記平ゴム５が前記腰帯部１の長手方向の略全長にわたって備えられているような他の態様もあり得る。
【００４０】
前記平ゴム５は、前記表地４と前記立体メッシュ２との間に備えられていることが好ましい。前記平ゴム５が前記表地４と前記立体メッシュ２との間に備えられていることにより、ベルトを着用しなくとも釣り用ズボンの前記腰帯部１を確実に腰位置に当接させて保持することができるという利点がある。前記腰帯部１がより確実に腰位置に当接されるため、流れ落ちる背中の汗を腰位置でより確実に吸収することができるという利点がある。
【００４１】
前記芯材６は、不織布でなる。具体的には、ポリエステル製の不織布でなる。前記芯材６がポリエステル製の不織布でなるため、前記腰帯部１に適度な保形性を与えている。
【００４２】
前記芯材６は、前記表地４と前記平ゴム５との間に備えられていることが好ましい。前記芯材６が前記表地４と前記平ゴム５との間に備えられていることにより、前記腰帯部１の内部で繰り返し摺動する前記平ゴム５による摩擦から前記表地４を保護することができるという利点がある
【００４３】
また、前記平ゴム５および前記芯材６が上記のように備えられていることにより、前記立体メッシュ２と前記裏地３とが直接当接することとなり、前記裏地３で吸収された汗が直接速やかに前記立体メッシュ２に移動し、気体状となった汗が前記立体メッシュ２において拡散しやすいという利点がある。
【００４４】
本発明は、上記例示の釣り用ズボンに限定されるものではない。また、本発明では、一般の釣り用ズボンにおいて採用される種々の形態を、本発明の効果を損ねない範囲で採用することができる。
【図面の簡単な説明】
【００４５】
【図１】本発明に係る釣り用ズボンの一実施形態を示す正面図。
【図２】一実施形態の釣り用ズボンの腰帯部の断面を模式的に表した断面斜視図。
【図３】ダブルラッセル編みの立体メッシュを模式的に表した模式図。
【符号の説明】
【００４６】
１・・・腰帯部
２・・・通気性のあるクッション材としての立体メッシュ
３・・・裏地
４・・・表地
５・・・平ゴム
６・・・芯材
７・・・突出部
【図１】
0005328162.tif 000002
【図２】
0005328162.tif 000003
【図３】
0005328162.tif 000004